(57)【特許請求の範囲】
【請求項１】
枠体の内側に、建具枠と戸とからなる建具のうち少なくとも建具枠が取付けられ、前記枠体には、これを吊り下げるための吊下部が設けられており、
前記枠体が、２本の鉛直枠材と、これら鉛直枠材の上端部間に架設された水平枠材とを備えた門型をなし、
前記鉛直枠材と水平枠材との接合部に補強プレートが設けられ、該補強プレートに、枠体を吊り下げるための吊下部が設けられ、
前記補強プレートは、前記枠体の一方の側面側における前記接合部と、他方の側面側における前記接合部とにそれぞれ設けられていることを特徴とする建具付き枠体。
【請求項２】
請求項１に記載の建具付き枠体において、前記吊下部は、筒状をなし、内面に雌ねじ部が形成された吊下部本体と、前記雌ねじ部に螺合された吊下具とを備えていることを特徴とする建具付き枠体。
【請求項３】
請求項１または２に記載の建具付き枠体を前記吊下部を介して吊り下げ、該吊り下げられた建具付き枠体を、互いに離間して配設された壁部間に建入れ、
次いで、前記建具付き枠体を前記壁部に固定することを特徴とする建具の取付け方法。
【発明の詳細な説明】
【０００１】
【発明の属する技術分野】
本発明は、玄関扉等の建具が取付けられた建具付き枠体および建具の取付方法に関するものである。
【０００２】
【背景の技術】
住宅を構築する場合において、例えば玄関用の建具を取付けるには、例えば、特開平７−１２７３４１号公報に記載のように、躯体となる外壁を形成した後、この外壁に形成された開口部にサッシ等の建具を取付けるようにしているのが一般的である。
前記開口部に建具を取付ける場合、建具枠と戸を建築現場に搬入した後、建具枠を開口部の内周面に、その位置合わせを行いながら、木ねじ、ビス等によって固定し、該固定された建具枠に戸を取付けるようにしている。
【０００３】
【発明が解決しようとする課題】
ところが、前記建具を現場にて、位置合わせを行いながら前記開口部に取付けるのには、建具枠自体に剛性があまりなく、歪み易いので相当の手間を要するという問題がある。
また、建具自体が大型のものになると、手作業だけでは建具を取付けるのが困難となるので、建具をクレーン等で吊り下げて開口部に取付ける必要があるので、建具枠を歪まないように、吊り下げるのは非常に難しいという問題があった。
【０００４】
本発明は上記事情に鑑みてなされたもので、住宅等の開口部に建具を容易に取付けることができる、建具付き枠体および建具の取付け方法を提供することを目的としている。
【０００５】
【課題を解決するための手段】
上記目的を達成するために、本発明の請求項１の建具付き枠体１は、例えば図１に示すように、枠体２の内側に、建具枠１５と戸１６とからなる建具３のうち少なくとも建具枠１５を取付け、該枠体２に、これを吊り下げるための吊下部８を設け、
前記枠体２が、２本の鉛直枠材４，４と、これら鉛直枠材４，４の上端部間に架設された水平枠材５とを備えた門型をなし、
前記鉛直枠材４と水平枠材５との接合部に補強プレート１０が設けられ、該補強プレート１０に、枠体２を吊り下げるための吊下部８が設けられ、
前記補強プレート１０は、前記枠体２の一方の側面側における前記接合部と、他方の側面側における前記接合部とにそれぞれ設けられていることを特徴とする。
【０００６】
前記枠体２は、無垢の木材、集成材等で形成するのが好ましいが、スチール等の金属で形成してもよい。
前記吊下部８は、枠体の水平部に設けるか、あるいは鉛直部の上端部に設けるのが望ましい。
【０００７】
請求項１の建具付き枠体１にあっては、枠体２の内側に、建具枠１５と戸１６とからなる建具３のうち少なくとも建具枠１５を取付けたので、該枠体２によって建具枠１５が補強されてその歪みが防止される。
したがって、該枠体２を吊下部８を介して吊り下げ、該吊り下げられた枠体２を、互いに離間して配設された壁部２０，２０間に建入れた後、該枠体２を前記壁部２０，２０に固定することで、前記壁部２０，２０間に形成された開口部に、建具３が容易に取付けられる。
また、建具自体が大型のものでも、前記枠体２によって建具枠１５が補強されてその歪みが防止されるので、建具枠１５は歪まないように、吊り下げられる。
【０００９】
前記鉛直枠材４や水平枠材５は、それぞれ無垢の木材、集成材等で形成するのが好ましいが、スチール等の金属で形成してもよい。また、前記鉛直枠材４と水平枠材５とは、接着剤や釘打ち等によって互いに接合される。
前記補強プレート１０は、例えば長方形板状の鉄板で形成され、前記接合部に接着剤や釘打ち等によって固定される。
【００１０】
前記吊下部８は、クレーンのワイヤ１３の先端部に取付けられたフック１３ａ等を掛けられるような形状であれば、どのような形状のものでもよい。また、前記吊下部８は、前記補強プレート１０に溶接等によって固定される。
【００１１】
また、前記枠体２を、複数の鉛直枠材４，４と、これら鉛直枠材４，４の少なくとも上端部間に架設された水平枠材５とで構成したので、前記鉛直枠材４および水平枠材５の長さ、本数を適宜選択することで、所望の大きさの枠体２が容易に形成される。
【００１２】
また、前記鉛直枠材４と水平枠材５との接合部に補強プレート１０を設け、該補強プレート１０に、枠体２を吊り下げるための吊下部８を設けたので、該補強プレート１０によって前記鉛直枠材４と水平枠材５との接合部が補強され、該接合部に作用する剪断力に十分に抗することができ、さらに吊下部８を介して容易に枠体２が吊り下げられる。
【００１４】
また、補強プレート１０を、前記枠体２の一方の側面側における前記接合部と、他方の側面側における前記接合部とにそれぞれ設けたので、最小枚数の補強プレート１０，１０で前記接合部が補強されるとともに、該補強プレート１０，１０に設けられた吊下部８，８を介して枠体２を吊り下げることで、該枠体２がバランスよく吊り下げられる。
【００１５】
請求項２の建具付き枠体１は、例えば図１および図２に示すように、請求項１において、前記吊下部８を、筒状をなし、内面に雌ねじ部１１ａが形成された吊下部本体１１と、前記雌ねじ部１１ａに螺合された吊下具１２とによって構成したものである。
【００１６】
前記吊下部本体１１は、その軸線を上下に向けて前記補強プレート１０に固定される。
また、前記吊下具１２は、その下端部に前記雌ねじ部１１ａに螺合する雄ねじ部が形成され、上端部には、クレーンのワイヤ１３の先端部に取付けられたフック１３ａ等を掛けることができるような、引掛部１２ａを形成する。
【００１７】
請求項２の建具付き枠体１においては、請求項１と同様の作用効果が得られるのは勿論のこと、吊下部８が、筒状をなし、内面に雌ねじ部１１ａが形成された吊下部本体１１と、前記雌ねじ部１１ａに螺合された吊下具１２とを備えているので、枠体２をクレーン等によって吊り下げる場合には、前記吊下具１２を吊下部本体１１の雌ねじ部１１ａに螺合して取付け、該枠体２を互いに離間して配設された壁部２０，２０間に建入れた後は、前記吊下具１２を雌ねじ部１１ａから取り外すことで、該吊下具１２を吊り下げるべき枠体２ごとに使い回すことができるとともに、枠体２の上端部から吊下具１２が突出することがないので、枠体２の納まりがよくなるとともに、建具付き枠体１の仕上げ状態もよくなる。
【００１８】
請求項３の建具の取付方法は、例えば図１および図５に示すように、請求項１または２の建具付き枠体１を前記吊下部８を介して吊り下げ、該吊り下げられた建具付き枠体１を、互いに離間して配設された壁部２０，２０間に建入れ、次いで、前記建具付き枠体１を前記壁部２０，２０に固定することを特徴としている。
【００１９】
前記建具付き枠体１が建入れられる壁部２０，２０は、在来の軸組工法によって構築された壁であってもよいし、ツーバイフォー工法によって構築された壁であってもよいし、さらに、パネル工法によって構築された壁であってもよい。
また、前記建具付き枠体１を、互いに離間して配設された壁部２０，２０間に建入れた場合において、該建具付き枠体１の上面と、壁部２０の上端面との間に段差が生じる場合、この段差を解消するために、前記建具付き枠体１の上面に調整材２５を設ける。
建具付き枠体１を前記壁部２０に固定するには、該建具付き枠体１と壁部２０とを接着剤や釘打ち等によって固定する。
【００２０】
請求項３の建具の取付方法においては、建具付き枠体１を前記吊下部８を介して吊り下げるので、枠体２によって建具枠１５が補強されてその歪みが防止される。そして、この建具付き枠体１を、互いに離間して配設された壁部２０，２０間に建入れた後、該建具付き枠体１を前記壁部２０，２０に固定することで、前記壁部２０，２０間に形成された開口部に、建具３を容易に取付けることができる。
【００２１】
【発明の実施の形態】
以下、図面を参照して本発明の実施の形態の一例について説明する。
図１および図２に示すように、本例の建具付き枠体１は、門型をなす枠体２と、この枠体２の内側に取付けられた建具３とを備えた構成とされている。
前記枠体２は、工場等によって組み立てられたもので、平行離間して配設された２本の鉛直枠材４，４と、該鉛直枠材４，４の上端部間に架設された水平枠材５とを備えている。
【００２２】
前記鉛直枠材４は無垢の角材で形成され、一方前記水平枠材５は集成材で形成されている。そして、前記鉛直枠材４，４はそれぞれ前記水平枠材５の端部に接着剤と釘打ちとによって接合固定されている。
また、前記鉛直枠材４の内側面には、無垢の角材で形成された調整材６が接着と釘打ちによって接合固定されている。
【００２３】
さらに、前記枠体２には、これを吊り下げるための吊下部８，８が以下のようにして設けられている。
すなわち、前記鉛直枠材４，４と水平枠材５との接合部のうち、前記枠体２の一方の側面側における接合部と、他方の側面側における前記接合部とには、それぞれ補強プレート１０が釘打ち等によって固定されている。
この補強プレート１０は、長方形の鉄板で形成されたもので、前記鉛直枠材４と水平枠材５の接合に作用する剪断力を補強している。
【００２４】
そして、前記補強プレート１０の表面に前記吊下部８が固定されている。この吊下部８は、筒状をなし、内面に雌ねじ部１１ａが形成された吊下部本体１１と、前記雌ねじ部１１ａに螺合された吊下具１２とから構成されており、前記吊下部本体１１はその軸線を上下に向けて前記補強プレート１０の表面に溶接によって固定されている。なお、図２においては、吊下具１２を取外した状態を示している。
また、吊下具１２は、その下端部に前記雌ねじ部に螺合する雄ねじ部（図示略）が形成され、上端部には、クレーンのワイヤ１３の先端部に取付けられたフック１３ａ等を掛けることができるような、リング状をなす引掛部１２ａが形成されている。
【００２５】
また、前記建具３は、玄関用の建具であり、アルミサッシで形成された建具枠１５と、この建具枠１５内に取付けられた玄関扉（戸）１６とによって構成されている。なお、該建具３は工場等において、枠体２内に取付けられる。
前記建具枠１５は、矩形状をなすもので、その縦枠は図１に示すように、ブラケット１７によって、前記鉛直枠材４の内側面に固定された調整材６に取付けられている。前記ブラケット１７は、Ｌ型のもので、その一片部が前記調整材６に当接されてビス１７ａによって取付け固定され、他片部が前記建具枠１５の縦枠に当接されてビス１７ｂによって取付け固定され、これによって、前記建具枠１５の縦枠が、調整材６に固定されている。
なお、前記建具枠１５の上枠は、前記水平枠材５に、直接かあるいは図示しないブラケットによって固定されている。
【００２６】
前記玄関扉１６は片開き式のもので、図４に示すように、前記建具枠１５の縦枠に、蝶番１８を介して回動自在に取付けられている。なお、建具枠１５の縦枠には、該縦枠を覆うケーシング１９が取付けられるようになっており、このケーシング１９は、前記調整材６の表面も覆うようになっている。
【００２７】
次に、上記構成の建具付き枠体１を用いて、住宅の壁に建具３を取付ける方法について説明する。
まず、前記建具付き枠体１に設けられた吊下部８，８の吊下具１２，１２にそれぞれ、クレーンのワイヤ１３，１３の先端部のフック１３ａ，１３を引っ掛けて、ワイヤ１３，１３を引き上げることで、建具付き枠体１を吊り下げて、互いに離間して配設された壁部２０，２０間に建入れる。
建具付き枠体１を吊り下げると、その鉛直枠材４と水平枠材５との接合部に剪断力が作用するが、前記接合部は補強プレート１０によって補強されているので、前記剪断力に十分に抗することができ、建具付き枠体１を安定的に吊り下げることができる。
【００２８】
なお、前記壁部２０，２０は、それぞれ壁パネル２１によって形成されており、該壁パネル２１，２１は、基礎２２，２２上に角材２３，２３を固定し、該角材２３，２３上に設置固定したうえで、前記基礎２２，２２から突出する図示しないアンカボルトに連結されている。
また、前記壁パネル２１は、桟材を矩形枠状に組んで枠体を形成し、この枠体内に必要に応じて補強桟材を縦横に組み付け、さらに前記枠体の両面に合板等からなる面材を貼設したものである。
【００２９】
建具付き枠体１を吊り下げて、互いに離間して配設された壁部２０，２０間に建入れる場合、建具付き枠体１の鉛直枠材４，４を、壁部２０，２０の側端面に沿わせて建入れることで、建具付き枠体１が壁部２０，２０の側端面にガイドされて安定的に建入れられる。
【００３０】
そして、前記建具付き枠体１を吊り下げながら建入れいき、図１に示すように、該建具付き枠体１の建具枠１５の下端部を、前記角材２３の端面に現場で取付けられたブラケット２４に当接するとともに、前記鉛直枠材４と調整材６の下端面を前記角材２３の上面に当接することで、前記建具付き枠体１を前記壁部２０，２０間に配設して設置する。
【００３１】
前記建具付き枠体１の鉛直枠材４の外側面と壁部２０の側端面とにはそれぞれ接着剤が塗布されており、建具付き枠体１を壁部２０，２０間に建入れることで、該建具付き枠体１は、前記壁部２０，２０の側端面に接着され、さらに、建入れ後、調整材６から鉛直枠材４を通して壁部２０の側端面に図示しない釘を打ち込むことにより、建具付き枠体１は、前記壁部２０，２０に強固に固定される。
【００３２】
上記のようにして、建具付き枠体１を壁部２０，２０に固定したならば、前記吊下具１２，１２から、ワイヤ１３，１３の先端部のフック１３ａ，１３を取外すとともに、前記吊下具１２を前記吊下部本体１１の雌ねじ部１１ａから取外す。このように、吊下具１２を取り外すことで、該吊下具１２を吊り下げるべき建具付き枠体１２ごとに使い回すことができるので、吊下具１２は最低２つ用意しておけばよく、その分コスト低減を図ることができる。
また、建具付き枠体１の上端部から吊下具１２，１２が突出することがないので、建具付き枠体１の納まりがよくなるとともに、建具付き枠体１の仕上げ状態もよくなる。
【００３３】
また、前記建具付き枠体１を、壁部２０，２０間に建入れた場合において、図１に示すように、該建具付き枠体１の上面と、壁２０の上端面との間には、段差が生じているので、この段差を解消するために、図６に示すように、前記建具付き枠体１の上面に調整材２５を設置固定する。
これによって、前記建具付き枠体１が壁２０，２０に形成された開口部に取付けられ、よって、この建具付き枠体１の建具３を容易に取付けることができる。また、建具付き枠体１を、前記吊下部８を介して吊り下げる際に、枠体２によって建具枠１５が補強されるので、建具枠１５の歪みを確実に防止して、建具３を取付けることができる。
【００３４】
なお、上記の例では、建具付き枠体１の建具として、玄関用の建具３を例にとって説明したが、これに限ることなく、本発明は、通常の窓に使用される建具をつけたものにも適用することができる。
また、上記の例では、枠体２を一対の鉛直枠材４，４と、これら鉛直枠材４，４間に架設された水平枠材５と、前記鉛直枠材４，４にそれぞれ固定された調整材６，６によって構成したが、本発明では、調整材６，６は必ずしも必要ではなく、鉛直枠材４，４に直接建具枠１５を取付けてもよい。
【００３５】
さらに、上記の例では、枠体２を一対の鉛直枠材４，４と、これら鉛直枠材４，４間に架設された水平枠材５とを備えた構成としたが、本発明はこれに限ることなく、鉛直枠材４を３本以上備えてもよく、この場合、互いに隣接する鉛直枠材間に水平枠材５を架設すればよい。
【００３６】
【発明の効果】
以上説明したように、本発明の請求項１の建具付き枠体によれば、枠体の内側に、建具枠と戸とからなる建具のうち少なくとも建具枠を取付けたので、該枠体によって建具枠が補強されてその歪みを防止することができる。
したがって、該枠体を吊下部を介して吊り下げ、該吊り下げられた枠体を、互いに離間して配設された壁部間に建入れた後、該枠体を前記壁部に固定することで、前記壁部間に形成された開口部に、建具を容易に取付けることができる。
また、建具自体が大型のものでも、前記枠体によって建具枠が補強されてその歪みが防止されるので、建具枠を歪まないように、吊り下げて建入れることができる。
【００３７】
また、前記枠体を、２本の鉛直枠材と、これら鉛直枠材の上端部間に架設された水平枠材とで構成し、前記鉛直枠材と水平枠材との接合部に補強プレートを設け、該補強プレートに、枠体を吊り下げるための吊下部を設けたので、該補強プレートによって前記鉛直枠材と水平枠材との接合部を補強することができるので、該接合部に作用する剪断力に十分に抗することができ、さらに吊下部を介して容易に枠体を吊り下げることができる。
【００３８】
さらに、補強プレートを、前記枠体の一方の側面側における前記接合部と、他方の側面側における前記接合部とにそれぞれ設けたので、最小枚数の補強プレートで前記接合部を補強することができるとともに、該補強プレートに設けられた吊下部を介して枠体を吊り下げることで、該枠体をバランスよく吊り下げることができる。
【００３９】
請求項２の建具付き枠体によれば、請求項１と同様の効果を得ることができるのは勿論のこと、吊下部が、筒状をなし、内面に雌ねじ部が形成された吊下部本体と、前記雌ねじ部に螺合された吊下具とを備えているので、枠体をクレーン等によって吊り下げる場合には、前記吊下具を吊下部本体の雌ねじ部に螺合して取付け、該枠体を互いに離間して配設された壁部間に建入れた後は、前記吊下具を雌ねじ部から取り外すことで、該吊下具を吊り下げるべき枠体ごとに使い回すことができるので、吊下具は最低２つ用意しておけばよく、その分コスト低減を図ることができる。また、建具付き枠体の上端部から吊下具が突出することがないので、枠体の納まりがよくなるとともに、枠体の仕上げ状態もよくなる。
【００４０】
請求項３の建具の取付方法によれば、請求項１または２の建具付き枠体を前記吊下部を介して吊り下げるので、枠体によって建具枠が補強されてその歪みを防止して、建具付き枠体を壁部間に建入れることができる。そして、この建具付き枠体を、互いに離間して配設された壁部間に建入れた後、該建具付き枠体を前記壁部に固定することで、前記壁部間に形成された開口部に、建具を容易に取付けることができる。
【図面の簡単な説明】
【図１】本発明の建具付き枠体の一例を示すもので、該建具付き枠体を壁部間に建入れた状態を示す斜視図である。
【図２】同、図１における平面図である。
【図３】同、建具枠と鉛直枠材との取付け状態の要部を示す斜視図である。
【図４】同、建具枠と鉛直枠材との取付け状態の要部を示す平断面図である。
【図５】同、建具付き枠体を壁部間に建入れている状態を示す正面図である。
【図６】同、建具付き枠体を壁部間に建入れて、枠体の上面に調整材を設置した状態を示す斜視図である。
【符号の説明】
１  建具付き枠体
２  枠体
３  建具
４  鉛直枠材
５  水平枠材
８  吊下部
１０  補強プレート
１１  吊下部本体
１１ａ  雌ねじ部
１２  吊下具
１５  建具枠
１６  戸
２０  壁部
【図１】
0003913345.tif 000002
【図２】
0003913345.tif 000003
【図３】
0003913345.tif 000004
【図４】
0003913345.tif 000005
【図５】
0003913345.tif 000006
【図６】
0003913345.tif 000007